【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
カスタマイズされた創傷被覆材を提供する方法において、
遠隔装置から、特定の患者の特定の創傷のためにカスタマイズされた創傷被覆材の構成を表す創傷被覆材の仕様を受信するステップであって、前記創傷被覆材の仕様は、前記創傷被覆材の形状と寸法に関する情報を含むステップと、
前記創傷被覆材の仕様に基づいて、第１の自動創傷被覆材ファブリケータによって第１の創傷被覆材を製作するステップと、
前記第１の創傷被覆材を、前記患者が前記第１の創傷被覆材にアクセスすることができる所定の場所に配達するステップと
を含むことを特徴とする方法。
【請求項２】
前記遠隔装置は、前記第１の創傷被覆材ファブリケータから離れたところにある第２の自動創傷被覆材ファブリケータであることを特徴とする請求項１に記載の方法。
【請求項３】
前記遠隔装置は、前記第１の創傷被覆材ファブリケータから離れたところにあるサーバであり、前記サーバは、前記患者の医療記録を格納し、前記医療記録は、前記特定の創傷に関連付けられた創傷の処方箋を含むことを特徴とする請求項１に記載の方法。
【請求項４】
前記創傷被覆材の仕様に基づいて、前記第１の自動創傷被覆材ファブリケータを使用して、前記第１の創傷被覆材の第１の構成とは異なる第２の構成を有する第２の創傷被覆材を製作するステップをさらに含むことを特徴とする請求項１に記載の方法。
【請求項５】
前記第２の創傷被覆材は、前記創傷への前記第１の創傷被覆材の適用の間に前記創傷の状態が進捗した後の前記創傷への適用のために構成されることを特徴とする請求項４に記載の方法。
【請求項６】
前記所定の場所は、前記患者の住居と、前記患者の家の近くの医療施設とのうちの少なくとも一方であることを特徴とする請求項１に記載の方法。
【請求項７】
前記創傷被覆材の仕様は、前記第１の創傷被覆材内の保護層の構成に関する情報、および前記患者の前記創傷の箇所を識別する情報をさらに含むことを特徴とする請求項１に記載の方法。
【請求項８】
前記創傷被覆材の仕様に関連付けられた患者情報を受信するステップと、
前記第１の創傷被覆材の配達に関連付けられた追跡情報を送信するステップと
をさらに含むことを特徴とする請求項１に記載の方法。
【請求項９】
医療関係者から前記創傷被覆材の仕様に関連付けられた許可を受信するステップと、
前記第１の自動創傷被覆材ファブリケータによって前記第１の創傷被覆材を製作する前に、前記医療関係者の前記許可を認証するステップと
をさらに含むことを特徴とする請求項１に記載の方法。
【請求項１０】
前記遠隔装置から前記第１の創傷被覆材に関連付けられた払戻コードを受信するステップをさらに含み、前記払戻コードは、支払い側エンティティに払い戻しを要求するのに必要な情報を表すことを特徴とする請求項１に記載の方法。
【請求項１１】
創傷治療サービスを提供する方法であって、
創傷治療施設において、特定の患者の特定の創傷の特徴を受信するステップと、
前記創傷治療施設において、前記創傷の特徴に基づいて、前記特定の患者の前記特定の創傷のためにカスタマイズされた創傷被覆材の構成を表す創傷被覆材の仕様を生成するステップであって、前記創傷被覆材の仕様は、前記創傷被覆材の形状と寸法に関する情報を含むステップと、
前記創傷治療施設から離れたところにある、第１のカスタマイズされた創傷被覆材の製作のための第１の自動創傷被覆材ファブリケータに、前記創傷被覆材の仕様を送信するステップと
を含むことを特徴とする方法。
【請求項１２】
前記創傷治療施設において前記創傷被覆材の仕様に関連付けられた患者情報を受信するステップと、
前記患者情報を前記第１の自動創傷被覆材ファブリケータに送信するステップと
をさらに含むことを特徴とする請求項１１に記載の方法。
【請求項１３】
前記創傷被覆材の仕様を生成するステップは、
創傷被覆材パラメータジェネレータにおいて前記創傷の特徴に関連付けられた入力を受信するステップと、
前記受信された入力に、コンピュータで実装されたアルゴリズムを適用することによって、前記創傷被覆材の仕様を生成するステップと
を含むことを特徴とする請求項１１に記載の方法。
【請求項１４】
サーバから更新情報を受信するステップをさらに含み、前記コンピュータで実装されたアルゴリズムは、前記更新情報によって変更されて、前記創傷を治療するための更新されたポリシーを実装することを特徴とする請求項１３に記載の方法。
【請求項１５】
前記第１の創傷被覆材を適用した後、前記創傷の状態の進捗を決定するステップと、
前記創傷の状態の前記進捗の観察結果を、前記創傷の治療に関連付けられた統計データを蓄積および処理するためのサーバに送信するステップと
をさらに含むことを特徴とする請求項１１に記載の方法。
【請求項１６】
前記創傷の特徴を診断することは、前記創傷を視覚的に観察し、デジタル撮像装置を使用して前記創傷をスキャンすることを含むことを特徴とする請求項１１に記載の方法。
【請求項１７】
前記創傷の特徴に基づいて払戻コードを生成するステップであって、前記払戻コードは、支払い側エンティティに前記第１のカスタマイズされた創傷被覆材に関連付けられた払い戻しを要求するのに必要な情報を表す、ステップと、
前記第１の自動創傷被覆材ファブリケータを操作するエンティティが前記第１の創傷被覆材に関連付けられた料金を前記支払い側エンティティから収集することを可能にするために、前記第１の自動創傷被覆材ファブリケータに前記払戻コードを送信するステップと
をさらに含むことを特徴とする請求項１１に記載の方法。
【請求項１８】
患者の創傷の特徴を表す入力の受信に応答して、患者の創傷のためにカスタマイズされた創傷被覆材の構成を表す創傷被覆材の仕様を生成するように構成された創傷被覆材パラメータジェネレータであって、前記創傷被覆材の仕様は、前記創傷被覆材の形状と寸法に関する情報を含み、創傷治療施設から離れたところにある第１の自動創傷被覆材ファブリケータに前記創傷被覆材の仕様を送信するようにさらに構成された創傷被覆材パラメータジェネレータと、
前記創傷被覆材の仕様を受信し、前記創傷被覆材の仕様に従って前記創傷被覆材を製作するように構成された第２の自動創傷被覆材ファブリケータと
を備えたことを特徴とする創傷治療施設。
【請求項１９】
離れたところにある創傷被覆材パラメータジェネレータから創傷被覆材の構成を表す創傷被覆材の仕様であって、創傷被覆材の形状と寸法に関する情報を含む創傷被覆材の仕様を受信したことに応答して、特定の患者の特定の創傷のためにカスタマイズされた創傷被覆材を製作するように構成された自動創傷被覆材ファブリケータと、
前記製作された創傷被覆材を、前記患者が前記制作された創傷被覆材にアクセスすることができる所定の場所に配達するように構成された配送施設と
を備えたことを特徴とする創傷被覆材ディスペンサ施設。
【請求項２０】
プロセッサによって実行されると、前記プロセッサに、
患者の創傷の特徴に関連付けられた入力を受信させ、
前記入力を分析するアルゴリズムによって、前記患者の前記創傷のためにカスタマイズされた創傷被覆材の構成を表す創傷被覆材の仕様であって、前記創傷被覆材の形状と寸法に関する情報を含む創傷被覆材の仕様を生成させ、
前記創傷被覆材の仕様を前記プロセッサから離れたところにある自動創傷被覆材ファブリケータに送信させる
ための命令を記憶したことを特徴とするコンピュータ読取可能記憶媒体。
【請求項２１】
創傷治療に関連する統計データを蓄積および分析するサーバから、前記統計データの分析に基づいて生成された更新情報を受信し、
前記更新情報に従って前記アルゴリズムを更新する
ための命令をさらに含むことを特徴とする請求項２０に記載のコンピュータ読取可能記憶媒体。
【請求項２２】
前記創傷被覆材の仕様に関連付けられた患者情報を受信し、
前記患者情報を前記自動創傷被覆材ファブリケータに送信する
ための命令をさらに含むことを特徴とする請求項２０に記載のコンピュータ読取可能記憶媒体。
【請求項２３】
前記創傷被覆材の仕様を前記自動創傷被覆材ファブリケータに送信する前に、前記創傷被覆材の仕様を許可する医療関係者からの入力を受信するための命令をさらに含むことを特徴とする請求項２０に記載のコンピュータ読取可能記憶媒体。
【請求項２４】
前記入力は、デジタル撮像装置によって生成されることを特徴とする請求項２０に記載のコンピュータ読取可能記憶媒体。
【請求項２５】
前記入力は、創傷のタイプ、滲出物の量、前記創傷の深さ、前記創傷の細菌定着、前記創傷の上皮形成、および前記創傷の感度から成るグループのうちの少なくとも１つを含むことを特徴とする請求項２０に記載のコンピュータ読取可能記憶媒体。
【請求項２６】
患者に創傷治療サービスを提供するためのシステムにおいて、
特定の患者の特定の創傷の特徴を表す入力の受信に応答して創傷被覆材の仕様を生成するように構成された創傷被覆材パラメータジェネレータを含む創傷治療施設であって、前記創傷被覆材の仕様が創傷被覆材の形状と寸法に関する情報を含む、創傷治療施設と、
前記創傷治療施設からの前記創傷被覆材の仕様の受信に応答して、自動創傷被覆材ファブリケータによって前記患者のためにカスタマイズされた創傷被覆材を製作するように構成され、該製作した創傷被覆材を所定の場所に配達する創傷被覆材ディスペンサと
を備えたことを特徴とするシステム。
【請求項２７】
前記創傷被覆材の仕様と、創傷状態の進捗を表す創傷治療情報とを受信して格納するための電子医療情報システムであって、前記創傷被覆材の仕様と前記創傷治療情報とを分析して前記創傷被覆材の仕様を生成するためのアルゴリズムを生成する電子医療情報システム
をさらに備えたことを特徴とする請求項２６に記載のシステム。